(57)【要約】【課題】柱をコーナー内側に固定することができる柱固定構造を提供する。【解決手段】少なくとも二組の固定金具10，20と柱30とからなる。第１固定金具10は、コーナーの両壁面に当接される当接部11a，11bとこの当接部を所定角度をもって接続する平面状の固定部12と、各当接部の端部から所定角度を持って延びる接続部13a，13bとを一体に有し、コーナーに嵌合して当接部を両壁面に固着し、固定部からコーチスクリュー42をコーナー部内側の柱にねじ込んで固定される。第２固定金具20は、両端部の接続部21a，21bと両接続部の間を連続して新設される柱の外周面の一部に当接される外側当接部22と、接続部の一方側に設けられ外側当接部と対峙する内側当接部23とを一体に有し、外側当接部と内側当接部の間に新設柱を嵌合し、外側当接部と内側当接部にボルト44を貫通し、そのボルトにナット45を締め付けて第２固定金具をその柱の所定位置に固定する。第１固定金具と第２固定金具の接続部同士を固着することにより、柱がコーナーに固定される。【選択図】  図１
2008057216.tif 000002
【特許請求の範囲】
【請求項１】
第１固定金具及び第２固定金具と柱とからなり、
第１固定金具は、壁のコーナー部を形成する二つの壁面にそれぞれ当接される第１当接部及び第２当接部と、それら二つの当接部の一端部をそれぞれの当接部に対して所定角度をもって接続する平面状の固定部と、前記第１当接部と前記第２当接部の他端部からそれぞれの当接部に対して所定角度を持って同一側に延びる第１接続部と第２接続部とを一体に有して、前記壁のコーナーに嵌合され、第１当接部と第２当接部をそれぞれ前記二つの壁面に当接して固着されるとともに、前記固定部からコーチスクリューを前記壁のコーナー部内側の柱にねじ込んで、上下少なくとも２カ所に固定されるものであり、
第２固定金具は、両端部に設けられ、第１固定金具の第１接続部及び第２接続部に重ね合わせて固着具により固着される第１接続部及び第２接続部と、その第１接続部と第２接続部との間を連続して支柱の外周面の一部に当接される外側当接部と、その外側当接部の前記第１接続部と第２接続部の一方側に設けられ、前記外側当接部の前記第１接続部と第２接続部の他方側の部分と対峙する内側当接部とを一体に有し、第２固定金具の外側当接部と内側当接部の間に前記柱を嵌合するとともに、その外側当接部と内側当接部にボルトを貫通し、そのボルトにナットを締め付けて第２固定金具をその柱の長手方向の少なくとも２カ所の所定位置に固定されるものであることを特徴とするコーナー納まり柱の固定構造。
【請求項２】
第１固定金具の固定部の二つの当接部に対する接続角度は、壁のコーナーの内角と１８０度からその内角を引いた差の二分の一との和に等しい角度であることを特徴とする請求項１に記載のコーナー納まり柱の固定構造。
【請求項３】
第２固定金具の第１接続部及び第２接続部を第１固定金具の第１接続部及び第２接続部に重ね合わせて固着する固着具はねじであり、第２固定金具の第１接続部及び第２接続部の一方はフックで構成されていることを特徴とする請求項１又は２に記載のコーナー納まり柱の固定構造。
【発明の詳細な説明】
【技術分野】
【０００１】
本発明は、バルコニーのコーナー内側に設置される柱の固定構造に関する。
【背景技術】
【０００２】
バルコニーの内側にテラス屋根を設置する場合がある。テラス屋根は、一般に、左右２本の柱の上端部に桁を架設し、その桁に屋根本体の一端側を支持して構成される。このような構成のテラス屋根をバルコニーの内側に設置する場合は、柱を障害物にならない位置に設け、その柱をバルコニーに固定する必要がある。
【０００３】
ところで、バルコニーのパラペット内部の強度部材である柱は、コーナー部と端部又はコーナー部と中間部と端部の限られた場所にのみ配置されている。従って、バルコニーの内側にテラス屋根を設置する場合、その柱を邪魔にならない位置に設けるには、柱をバルコニーのコーナー内側に設置することが望ましい。
【０００４】
しかしながら、パラペットの柱は、そのパラペット内分に埋設されている。そのため、バルコニーの内側に設置されるテラス屋根の柱をコーナー内側に配置して、その柱をパラペットのコーナー部の内部に配置されている柱に固定することは、パラペットのコーナー部の改修をせずに行うことはできない。そこで、従来は、パラペットのコーナー部から少し離れた位置における壁面にブラケットを取付け、そのブラケットにテラス屋根の柱を固定するという、柱固定構造を採用していた。
【特許文献１】特になし。
【発明の開示】
【発明が解決しようとする課題】
【０００５】
従って、従来技術では、バルコニー内側に設置されたテラス屋根の柱がパラペットのコーナー部から正面中央側に離れているので、テラス屋根のバルコニーに対する見掛け上の納まりに対して不満足感を禁じ得ない施主は少なくなかった。
【０００６】
本発明は、その不満足感を解消するためになされたものであり、解決しようとする課題は、コーナー内側に配置された柱をそのコーナー部に確実に固定することができる柱固定構造を提供することにある。
さらに具体的には、バルコニーのコーナー内側に配置した柱を、パラペットのコーナー部に、その改修の必要なしに、固定できるようにすることにある。
【課題を解決するための手段】
【０００７】
上記課題を解決するため、本発明は、第１固定金具及び第２固定金具と柱とからなる。第１固定金具は、壁のコーナー部を形成する二つの壁面に当接される第１当接部と第２当接部と、それら二つの当接部の一端部を所定角度をもって接続する平面状の固定部と、前記第１当接部と前記第２当接部の他端部からそれぞれの当接部に対して所定角度を持って同一側に延びる第１接続部と第２接続部とを一体に有する。そして、第１固定金具は、前記壁のコーナーに嵌合して第１当接部と第２当接部をそれぞれ前記二つの壁面に当接して固着されるとともに、前記固定部からコーチスクリューを前記壁のコーナー部内側の柱にねじ込んで、上下少なくとも２カ所に固定される。第２固定金具は、両端部に設けられ、第１固定金具の第１接続部及び第２接続部に重ね合わせて固着具により固着される第１接続部及び第２接続部と、その第１接続部と第２接続部との間を連続して柱の外周面の一部に当接される外側当接部と、その外側当接部の前記第１接続部と第２接続部の一方側に設けられ、前記外側当接部の前記第１接続部と第２接続部の他方側の部分と対峙する内側当接部とを一体に有する。そして、第２固定金具は、その外側当接部と内側当接部の間に柱を嵌合するとともに、その外側当接部と内側当接部にボルトを貫通し、そのボルトにナットを締め付けてその柱の長手方向の少なくとも２カ所の所定位置に固定される。以上を特徴としている。
上記構成により、第２固定金具を取り付けた柱を壁のコーナーに接近させ、第２固定金具の第１接続部及び第２接続部をコーナーに固定されている第１固定金具の第１接続部及び第２接続部に重ね合わせて固着することにより、前記柱を前記壁のコーナーに固定することができる。第１固定金具は、固定部においてコーチスクリューにより壁のコーナー部内側の柱に堅固に固定され、第１当接部と第２当接部において壁に固着されている。その第１固定金具の両端部の第１接続部と第２接続部に、新設される柱を抱持する第２固定金具の両端部の接続部が固着される。従って、柱はコーナー内側に最接近させた状態で、頑強に固定される。
【０００８】
本発明は、第１固定金具の固定部の二つの当接部に対する接続角度を、壁のコーナーの内角と１８０度からその内角を引いた差の二分の一との和に等しい角度としたことを特徴としている。
この接続角度とすることにより、コーナーの内角がいかなる角度でも、固定部からコーチスクリューをコーナー部内側の柱に確実にねじ込むことができる。
【０００９】
また、第２固定金具の第１接続部及び第２接続部を第１固定金具の第１接続部及び第２接続部に重ね合わせて固着する固着具はねじであり、第２固定金具の第１接続部及び第２接続部の一方はフックで構成されていることを特徴としている。
上記構成により、第１固定金具の第１接続部及び第２接続部のうち第２固定金具のフックに対応するものに予めねじを緩くねじ込んでおき、第２固定金具を第１固定金具に固着する際に、第２固定金具のフックを前記予め緩くねじ込まれたねじ軸に係止して、第２固定金具の他方の接続部を第１固定金具の、フックに対応する接続部以外の接続部の適正位置に容易に重ね合わせてねじにより固着することができる。
【発明の効果】
【００１０】
請求項１の発明によれば、第１固定金具は固定部から壁のコーナー部内側の柱にねじ込まれるコーチスクリューにより固定されるから、コーナー部を改修することなく、コーナーへの柱の堅牢な取付が可能である。また、第１固定金具と第２固定金具は、その両端部の接続部同士を重ね合わせて固着されるので、柱のコーナーへの取付が容易にできる。
【００１１】
請求項２の発明によれば、コーナーの内角がいかなる角度である場合も、コーチスクリューをコーナー部内側の柱に確実にねじ込み、第１固定金具を堅固にコーナーに取り付けることができる。
【００１２】
請求項３の発明によれば、第２固定金具の一方側の接続部を先に固定してある第１固定金具の一方の接続部に仮にねじ込んであるねじの軸に係止した状態で、第２固定金具の他方側の接続部を、先に固定してある第１固定金具の他方側の接続部に重ね合わせ、孔を容易に合致させてその孔にねじを容易にねじ込むことができる。従って、柱の固定作業の能率が向上する。
【発明を実施するための最良の形態】
【００１３】
次に、本発明の実施の形態について、図面に基づいて説明する。
図１は本発明に係る柱固定構造を用いて屋根が取付けられたバルコニーの断面図、図２は本発明に係る柱固定構造の構成要素を示す分解斜視図、図３は一組の固定金具の平面図、図４は柱の取付施工時の作用を説明する斜視図、図５は柱取付施工後の横断面図、図６は同じく縦断面図、図７は柱の断面形状が円形である場合の一組の固定金具の平面図である。
【００１４】
図１及び図２において、１００はバルコニーの床であり、１０１はそのバルコニーのパラペットであり、左右のパラペット１０１ａ，１０１ｂの接続部にコーナー１０２が形成されている。３０はそのコーナー内側に固定される柱であり、例えば、テラス屋根の柱である。１０及び２０は、柱３０をバルコニーのコーナー内側に固定するための一組の固定金具を構成する第１固定金具と第２固定金具であり、１本の柱３０に対しては、少なくとも上下２カ所にそれぞれ一組の固定金具１０、２０が用いられる。
【００１５】
第１固定金具１０は、図３にも詳細に示されているように、一枚の短冊状の薄金属板を折曲加工して形成され、バルコニーのコーナー１０２を形成する左右のパラペット１０１ａ，１０１ｂにそれぞれ当接される第１当接部１１ａ及び第２当接部１１ｂと、それらの当接部を一定の角度、すなわち、コーナー１０２の内角と等しい角度を持って連続させる固定部１２と、両当接部の他端部に好ましくは当接部に対して直角に折曲して形成された第１接続部１３ａと第２接続部１３ｂとを一体に有している。そして、各当接部１１ａ，１１ｂにはねじ４１を貫通するための孔１４ａ，１４ｂが、固定部１２にはコーチスクリュー４２を貫通するための孔１５が、さらに各接続部１３ａ，１３ｂにはねじ４３をねじ込むためのねじ孔１６ａ，１６ｂがそれぞれ設けられている。
【００１６】
上記構成の第１固定金具１０は、図２に示すように、壁のコーナー１０２に嵌合され、固定部１２の孔１５からコーチスクリュー４２をパラペット１０１のコーナー部内側に既設されている柱１０３（図５参照）にねじ込み、さらに、各当接部１１ａ，１１ｂの孔１４ａ，１４ｂからねじ４１を左右のパラペット１０１ａ，１０１ｂにねじ込んで固定される。
【００１７】
第１当接部１１ａと第２当接部１１ｂの互いに他に対する角度は、コーナー１０２の内角θと等しく、固定部１２の各当接部１１ａ，１１ｂに対する角度は、コーナーの内角θと１８０度からその内角を引いた差の二分の一の角度との和、すなわちθ＋（１８０−θ）／２と等しくなるように設定されている。換言すると、第１固定金具１０は、図５に示す内角が９０度のコーナーに限らず、それ以外の内角のコーナーにも取付可能である。しかし、固定部１２の各当接部１１ａ，１１ｂに対する角度がθ＋（１８０−θ）／２になるように形成されているので、コーナー内角の大小に関わりなく、固定部１２の孔１５からコーチスクリュー４２をパラペットのコーナー部内側の柱１０３に確実かつ堅牢にねじ込むことができる。
【００１８】
第２固定金具２０も、一枚の短冊状の薄金属板を折曲加工して成形され、両端部に設けられた第１接続部２１ａ及び第２接続部２１ｂと、その第１接続部と第２接続部との間をＬ字形に連続して柱の外周面の一部に当接される外側当接部２２と、外側当接部２２の第１接続部２１ａと第２接続部２１ｂの一方側（図示の例では２１ｂ側）に設けられ、外側当接部２２の前記第１接続部２１ａと第２接続部２１ｂの他方側（図示の例では２１ａ側）の部分と対峙する内側当接部２３とを一体に有している。そして、第１接続部２１ａにはねじ４３を貫通するための孔２４ａが、第２接続部２１ｂには下方に開口する切欠２４ｂが設けられていて、第２接続部２１ｂはフック状に形成されている。さらに、内側当接部２３と外側当接部２２の内側当接部２３に対峙する部分とに、ボルト４４を貫通するための孔２５ａ，２５ｂが設けられている。
【００１９】
上記構成を有する第２固定金具２０は、図２、図３及び図４に示すように、外側当接部２２と内側当接部２３の間にテラス屋根の柱３０を嵌合し、その柱の連続する３つの側面をそれらの当接部の内面に当接し、外側当接部２２の孔２５ａからボルト４４を柱３０に予め形成してある孔３１に貫通し、さらに，内側当接部２３の孔２５ｂに貫通し、内側当接部２３の反対側に突出したボルト４４にナット４５を締め付けることにより、柱の所定位置に固定される。上下の第２固定金具２０の間隔は、パラペット１０のコーナーに取り付けられた上下の第１固定金具１０の間隔と等しい。
【００２０】
上記のように第２固定金具２０が取り付けられた柱は、図４に示すように、パラペットのコーナーに接近され、まず、第２固定金具２０の第２接続部２１ａのフック（２１ｂ）をパラペットのコーナーに固定されている第１固定金具１０の第２接続部１３ｂに完全に締め切られていないねじ４３の軸に係止する。それにより、第２固定金具の第１接続部２１ａの第１固定金具の第１接続部１３ａに対する重ね合わせ、及びそれらの接続部の孔２４ａ、１６ａの合致を容易に行うことが可能である。そして、その合致された孔２４ａ、１６ａにねじ４３をねじ込むことにより、第２固定金具の第１接続部２１ａを第１固定金具の第１接続部１３ａに固着し、最後に、ねじ４３を完全に締め付けて、第２固定金具の第２接続部２１ｂを第１固定金具の第２接続部１３ｂに固着する。このようにして、柱３０は、図５及び図６に示すように、パルコニーのコーナー内側に最接近させた状態で、パラペット１０１に堅固に固定される。なお、図６の３２は柱３０の下端部に嵌着されたキャップである。
【００２１】
図２〜６には、柱３０の横断面形状が矩形である場合に適合する固定金具の形状が示されたが、図７に例示するように、柱３０Ｅの横断面形状が円形である場合には、第２固定金具２０の外側当接部２２及び内側当接部２３を円弧状に形成すればよい。また、横断面形状が他の多角形である場合は、外側当接部及び内側当接部を、その柱の外輪郭の一部と同一形状に成形すればよい。
【産業上の利用可能性】
【００２２】
本発明は、上述した実施例のバルコニーに設置されるテラス屋根の柱の固定に限らず、壁又は柵のコーナー内側に柱を固定する場合一般に利用することができる。
【図面の簡単な説明】
【００２３】
【図１】本発明に係る柱固定構造を用いて屋根が取付けられたバルコニーの断面図。
【図２】本発明に係る柱固定構造の構成要素を示す分解斜視図。
【図３】一組の固定金具の平面図。
【図４】柱の取付施工時の作用を説明する斜視図。
【図５】柱取付施工後の横断面図。
【図６】同じく縦断面図。
【図７】柱の断面形状が円形である場合の一組の固定金具の平面図。
【符号の説明】
【００２４】
１００    バルコニー
１０１    パラペット
１０２    パラペットのコーナー
１０      第１固定金具
１１ａ    第１当接部
１１ｂ    第２当接部
１２      固定部
１３ａ    第１接続部
１３ｂ    第２接続部
２０      第２固定金具
２１ａ    第１接続部
２１ｂ    第２接続部
２２      外側当接部
２３      内側当接部
３０，３０Ｅ    柱
４１，４３      ねじ
４２            コーチスクリュー
４４            ボルト
４５            ナット
【図１】
2008057216.tif 000003
【図２】
2008057216.tif 000004
【図３】
2008057216.tif 000005
【図４】
2008057216.tif 000006
【図５】
2008057216.tif 000007
【図６】
2008057216.tif 000008
【図７】
2008057216.tif 000009